(57)【要約】      （修正有）【課題】少数の単一部材で調整が容易な光ピックアップ及び該光ピックアップを有する光記録又は再生装置を提供する。【解決手段】光ピックアップは、移動機構とディスクモータとの間の誤差を補償するために、光ピックアップのスライドベースＳＢに配置されるストレートな基準面上のアクチュエータプレートＡＰを、整列装置によって定義される位置に移動させることによって、対物レンズＯＬを保持する光ピックアップのアクチュエータプレートＡＰを調整する調整手段ＡＭを有する。該調整手段ＡＭは、スライドベースＳＢのストレートな基準面上のアクチュエータプレートＡＰを、カウンタばねＣＳに抗して移動させるためのねじであり、整列装置は、光記録又は再生装置に挿入された光ディスクにビーム光を照射し、ディスクからの戻り光を受光する光ピックアップ、及び、該光ピックアップを、回転する光ディスクの半径方向に移動させる手段によって形成される。【選択図】図１
2008016174.tif 000002
【特許請求の範囲】
【請求項１】
光ピックアップ（ＰＵ）の対物レンズ（ＯＬ）を保持し、スライドベース（ＳＢ）上に配置されるアクチュエータプレート（ＡＰ）を有する前記光ピックアップ（ＰＵ）と、ディスクモータ（ＤＭ）の回転シャフトに中心をもつターンテーブル（ＴＴ）上のディスク型記録媒体を駆動する前記ディスクモータ（ＤＭ）とを有する光記録又は再生装置において、
前記スライドベースに対して前記アクチュエータプレート（ＡＰ）を動かすために前記スライドベース（ＳＢ）に結合された調整手段（ＡＭ）がもうけられ、
該調整手段（ＡＭ）は、前記光ピックアップ（ＰＵ)の前記スライドベース（ＳＢ）に配置されるストレートな基準面（ＲＳ）上で前記アクチュエータプレート（ＡＰ）を、前記光記録又は再生装置の整列装置によって定義される位置まで移動させることによって、前記対物レンズ（ＯＬ）を保持するレンズホルダを弾性的に支持する前記光ピックアップ（ＰＵ）の前記アクチュエータプレート（ＡＰ）を調整することにより、
前記光ピックアップ（ＰＵ）を動かす移動機構とディスクモータ（ＤＭ）との間の整列を達成することを特徴とする光記録又は再生装置。
【請求項２】
前記調整手段（ＡＭ）は、前記スライドベース（ＳＢ）の前記ストレートな基準面（ＲＳ）上の前記アクチュエータプレート（ＡＰ）を、カウンタばね（ＣＳ）に抗して移動させるためのねじであることを特徴とする請求項１に記載の光記録又は再生装置。
【請求項３】
前記ねじは、前記スライドベース（ＳＢ）の前記アクチュエータプレート（ＡＰ）を、前記カウンタばね（ＣＳ）に抗して移動させるための偏心したねじ（ＥＳ）であることを特徴とする請求項２に記載の光記録又は再生装置。
【請求項４】
前記アクチュエータプレート（ＡＰ）は、少なくとも１つのピン（Ｐ）を有し、該ピン（Ｐ）は、前記スライドベース（ＳＢ）に配置される前記ストレートな基準面（ＲＳ）の上を、カウンタばね（ＣＳ）に抗して、調整手段（ＡＭ）によって、移動可能な前記アクチュエータプレート（ＡＰ）を保持することを特徴とする請求項１に記載の光記録又は再生装置。
【請求項５】
前記アクチュエータプレート（ＡＰ）は、両側にピン（Ｐ）を有し、該ピン（Ｐ）は、前記スライドベース（ＳＢ）に配置される前記ストレートな基準面（ＲＳ）の上を、調整手段（ＡＭ）によって、移動可能な前記アクチュエータプレート（ＡＰ）を保持し、前記ピン（Ｐ）は、前記光ピックアップ（ＰＵ）の軸方向の傾き（Ｔ）調整のための転回点を形成することを特徴とする請求項１に記載の光記録又は再生装置。
【請求項６】
前記光記録又は再生装置の前記整列装置は、前記光記録又は再生装置内に挿入された光ディスクにビーム光を照射し、該ディスクからの戻り光を受光する前記光ピックアップ（ＰＵ）と、前記光ピックアップ（ＰＵ）を前記光ディスクの半径方向に移動させる手段と、前記光ディスクを回転させる手段とによって形成され、前記光ピックアップ（ＰＵ）は、前記ディスクの最内周側から最外周側への移動の場合に前記ディスクから受光する±１次オーダ光における位相差に変化がおこるかどうか、及び、前記スライドベース（ＳＢ）のストレートな基準面（ＲＳ）上の前記アクチュエータプレート（ＡＰ）を移動させる前記調整手段（ＡＭ）の調整が、前記±１次オーダ光間の前記位相差が、予め決められた値になるように実行されるかどうかを確認することを特徴とする請求項１に記載の光記録又は再生装置。
【請求項７】
前記調整は、±１次オーダ光間の前記位相差が、１８０°になるように実行されることを特徴とする請求項６に記載の光記録又は再生装置。
【請求項８】
ガイドシャフト用の少なくとも１つのガイド孔を有するスライドベース（ＳＢ）上に配置され、光記録又は再生装置のディスクモータ（ＤＭ）への予め決められた距離を決定するアクチュエータプレート（ＡＰ）と、
前記ディスクモータ（ＤＭ）に対する整列を達成するため、前記光ピックアップ（ＰＵ）の前記対物レンズ（ＯＬ）を保持するレンズホルダを弾性的に支持する前記アクチュエータプレート（ＡＰ）を、前記スライドベースに対して、前記スライドベース（ＳＢ）に配置されるストレートな基準面（ＲＳ）上で、基準中心（ＲＣ）によって定義される位置に移動させるための、前記スライドベース（ＳＢ）に結合された調整手段（ＡＭ）とがもうけられることを特徴とする光ピックアップ（ＰＵ）。
【請求項９】
前記調整手段（ＡＭ）は、前記スライドベース（ＳＢ）の前記ストレートな基準面（ＲＳ）上の前記アクチュエータプレート（ＡＰ）を、カウンタばね（ＣＳ）に抗して移動させるためのねじであることを特徴とする請求項８に記載の光ピックアップ（ＰＵ）。
【請求項１０】
前記基準中心（ＲＣ）は、前記ガイドシャフト（ＧＳ）用の少なくとも１つのガイド孔（ＧＨ）までの予め決められた距離（ＤＳ）であるか、又は、前記基準中心は、前記光ピックアップ（ＰＵ）が適用される整列装置によって形成されることを特徴とする請求項８に記載の光ピックアップ（ＰＵ）。
【発明の詳細な説明】
【技術分野】
【０００１】
本発明は、光ディスク、光磁気ディスク又はホログラフィック記録媒体のようなディスク型光記録媒体から情報を読み出す及び／又は該光記録媒体へ情報を書き込むための、光ピックアップ及び光記録又は再生装置に関する。
【背景技術】
【０００２】
光ディスク、光磁気ディスク又はホログラフィック記録媒体のようなディスク型光記録媒体、及びディスク型光記録媒体から情報を読み出す及び／又は該光記録媒体上へ情報を書き込むための光ピックアップは、よく知られている。また、光ヘッド装置、又はいわゆる光ピックアップのガイドシャフトに対する移動機構のデッキ内のディスクモータの位置を調整することによって、ピックアップ、又はいわゆる光ヘッド装置を移動させる移動機構とディスクモータとの間の誤差を補償することもよく知られている。従ってディスクモータは、光記録又は再生装置のガイドシャフトに垂直に調整可能な分離した金属板上に取り付けられる。しかしそれは、移動機構の中心又は中心線が、正しい中心線ではないシフトした中心線に調整されてしまうということを意味する。移動機構の中心は、共通に、組立体の基準中心を形成する。従って、前記解決法は、そのような調整が原因で、完成したユニットの基準中心が誤って整列されるという欠点を有する。ディスクの信頼性のある装填とクランプを確実にするために、組立体設計にとって基準中心は重要なので、これは、組立体設計に悪影響を与える。基準中心の誤った整列は、組立体設計においてさらなる誤差を形成し、それはユニットごとに異なる。さらなる誤差は、組立体設計のために考慮に入れられなければならず、最終的な装置の装填及びクランプという観点から、組立体製造者にとって様々な問題を引き起こす。移動機構のガイドシャフトに対するディスクの誤差、ガイドシャフト孔と光ピックアップのアクチュエータプレート固定との間の誤差、及びアクチュエータプレート固定とアクチュエータプレートの対物レンズとの間の誤差といったいくつかの誤差が原因で、光学レンズの位置はわずかにずれる。これは、いわゆる３ビーム走査システムにおけるトラックガイドに悪影響を与えるいわゆるＥＦ位相問題につながる。光ヘッド装置の対物レンズのずれを最小化するために、装置の複数の部分の誤差が非常に小さいことが必要であり、ディスクモータは、ガイドシャフトに対して垂直に調整可能な分離した金属板上に取り付けられなければならない。さらに、いくつかのレンズ調整方法及び調整機構が知られており、例えば、光ヘッドが対物レンズの光軸に平行な方向に単体として調整されるか、又は、光源に対する対物レンズの相対位置と、対物レンズの光軸の傾きとを調整するために、光ヘッドのいくつかの構成要素が調整機構で操作される。
【発明の開示】
【発明が解決しようとする課題】
【０００３】
本発明の１つの特徴は、上記の従来技術の欠点を克服し、光ピックアップ及び該光ピックアップを有する移動機構とディスクモータとの間の容易且つ良好な調整が可能な光記録又は再生装置を提供することにある。本発明のさらなる特徴は、トラックガイド用にディスク型光記録媒体を走査する補助ビームの整列をすることである。
【課題を解決するための手段】
【０００４】
これは、独立請求項に記載されている特徴によって達成される。本発明の好ましい実施形態は、従属請求項で開示されている。
【０００５】
光ピックアップのスライドベースに配置されるストレートな基準面上の、光ピックアップの対物レンズを保持するアクチュエータプレートを、光記録又は再生装置のディスクモータに対する整列を達成するために中心線によって定義される位置まで移動させるための調整手段を有する光ピックアップが提案される。調整手段は、スライドベースのストレートな基準面上のアクチュエータプレートを、スライドベース上に取り付けられたカウンタばねに抗して移動させ保持するねじである。中心線は、例えばスライドベースのガイドシャフト用の少なくとも１つのガイド孔までの予め決められた距離によって、又は、光ピックアップが適用される整列装置によって、形成される。光ピックアップのスライドベースに配置されるストレートな基準面上でアクチュエータプレートを、整列装置によって定義される位置まで移動させることによって、対物レンズを保持する光ピックアップのアクチュエータプレートを調整する調整手段を有する光ピックアップを備えた光記録又は再生装置において、移動機構とディスクモータとの間の整列を達成する整列装置は、光記録又は再生装置内に挿入された光ディスクにビーム光を照射し、ディスクからの戻り光を受光する光ピックアップと、光ピックアップを半径方向に移動させる手段と、光ディスクを回転させる手段とによって形成される。光ピックアップは、ディスクの最内周側から最外周側への移動の場合にディスクから受光する±１次オーダ光における位相差に変化がおこるかどうかを確認するために用いられ、スライドベースのストレートな基準面上のアクチュエータプレートを移動させる調整手段の調整は、±１次オーダ光間の位相差が予め決められた値になるように実行される。光ピックアップによって提供される主ビーム又は補助ビームは、前記整列装置によって提供される基準中心線に整列され、移動機構とディスクモータとの間の最適な整列を達成する。
【０００６】
アクチュエータプレートを移動させる調整手段は、例えば、スライドベース、又はいわゆる光ピックアップの光学ボディに配置される少なくとも１つの偏心したねじであり、該ピックアップは、アクチュエータプレートを光学ボディ上のばねに対して移動可能なように保持する。本発明の実施形態によると、アクチュエータプレートは、両側に、光学ボディのストレートな基準面上をスライドするピンを有する。また、本発明のさらなる実施形態によると、ピンは、軸方向の傾き調整のための転回点を形成し、光ピックアップのスライドベースでアクチュエータプレートを移動可能且つ回転可能なように保持する。アクチュエータプレートの前記ピンのうちの少なくとも１つは、移動機構とディスクモータとの間の誤差を補償するために、つまりいわゆるＥＦ位相調整のために、前記偏心したねじと係合する。略号ＥＦは、ディスクから情報を読み出す及び／又は該ディスクへ情報を記録するディスク駆動システムにおけるトラッキングエラーの検出にしばしば用いられる光学３ビームシステムのいわゆる補助ビームに対して一般に用いられる。光学３ビームシステムの３ビームは、０次光と、０次光の両側に位置する±１次光からなり、光源から出射されるレーザ光として用いられ、±１次光のビームスポットによってトラッキングエラーを検出する。補助ビームは、ディスク上に記録するまたは記録された情報によって形成される情報トラック又は記録用のグルーブによって形成される境界線と交わるように配置される。ディスクの最内周側から最外周側までの移動に従って、記録トラックの中心にある３ビームの０次光に関して±１次光の光線が回転するので、ディスクの回転の中心を通る中心線からの偏位、いわゆるＲ依存は、３ビームの±１次光における位相差に変化を引き起こす。従って、対応する調整が必要であり、それは、既知の装置では、光ピックアップのガイドシャフトに対する移動機構デッキ内のディスクモータの整列によって、又は調整ユニットによって実行される。その調整ユニットでは、基準シャフトとして働く送りシャフトに対して理想的な位置に高精度にそれぞれ設けられたベースユニットに関して組み立てられるように、送り機構及びディスク回転駆動機構が、光ピックアップ単体として調整されるが、調整用のスライドベースに対して光ピックアップが組み立てられるベースユニットの送り機構及びディスク回転駆動機構又はベースシャーシの、各組み立て精度に反り又は傾斜等の不均一性があるという不都合さを伴う。
【０００７】
さらに、レンズ調整機構が知られており、それにおいて、光ピックアップは、光ピックアップ単体としてベースユニット上で調整される。該ベースユニットは、スライドベース、又はいわゆる光ピックアップが組み立てられる光学ボディ、及びこのスライドベースを移動可能なように支持する送りシャフトを含む。スライドベース、ホルダ支持部材及び光源は、前記調整機構によってそれぞれ別々に保持されており、これらの各部分を非常に少ない量だけ相対的に移動させることによって調整が行われる。このため、調整のために光ディスクの内周及び外周方向に送り操作を実行することが不可能である。上記の状態で送り操作を実行するためには、相対位置が変化しないように移動を行うことが必要である。しかし、調整ユニットが調整用光ディスクの記録トラックから情報を読み出すとき、調整用光ディスクのピット列は、内周側から外周側に向かってうずまき状に記録されている。このため、調整用光ディスクの回転に伴って、対物レンズは徐々に外周方向に移動する。この調整ユニットにおいて、調整時、光ピックアップの対物レンズは調整用光ディスクの外周方向に移動し、それによって視野ゆれ０の状態から視野ゆれの状態へ変化する。このため、対物レンズの光軸がずれる、つまり、光源の中心等の光学中心として以下で参照される光学的な設計中心に対する位置が変化する。この調整方法は、対物レンズの光軸が光学中心に対してずれるので、光学的な特性及び検出される再生信号が減少するという問題がある。例えば対物レンズの光軸を傾斜させて再生信号の変化を測定し、測定点を最も好ましい又は最も良い点に合わせることにより、対物レンズの光軸の傾きを調整するような場合等に、調整を実行することが非常に困難になる。
【０００８】
従って、環状の記録トラックが同心円状に形成されるように構成された光ピックアップのための調整用光ディスクがすでに提案されている。従って、光ピックアップの対物レンズの光軸が光学的な設計中心と常に一致するように調整することが可能となる。このため、対物レンズの光軸を高精度に調整することができる。
【０００９】
しかしながら、調整装置又は調整機構は、上述の通り、調整される光ピックアップが取り付けられるベースユニットが載る調整用ベースと、レンズ保持機構を介して対物レンズの位置を調整するレンズ調整機構と、ベースユニットのスライドベースを保持するベース保持機構とを備え、光ピックアップの構成要素に適用されるいくつかの保持手段が必要である。調整手順のあと除去される調整機構の重さは、調整の質に悪影響を及ぼす。調整部材間の相対位置を移動可能に調整するのに十分なギャップをもって、それぞれ配置され形成された位置決めピン及び位置決め孔が必要であり、構成要素の位置を維持しておくために、位置決め孔と位置決めピンとの間のギャップには接着剤が充填されなければならない。これはつまり、そのような調整機構はコストが高いということであり、様々な欠点にもかかわらず、移動するガイドシャフトに対してディスクモータの調整が用いられてきた理由でもある。ディスクモータのそのような調整は必要であった、なぜなら光ヘッドが単体として対物レンズの光軸に平行な方向に調整される場合、ガイドシャフトに垂直なさらなる調整は適切ではなく、又は、ピックアップ上にさらなる一時的なプレートが必要となるからである。
【００１０】
従って、ストレートな基準面上でばねの方向に移動可能なアクチュエータプレートを保持する光ピックアップ（両方ともいわゆる光学ボディ又はスライドベースに配置される）の光学ボディに配置され、例えば少なくとも１つの偏心したねじによって、対物レンズを保持するアクチュエータプレートを移動させる手段を有する光ピックアップが、推奨される。より柔軟な調整のため、及び移動機構のガイドから離れる又はそれに向かう方向の調整に加えて対物レンズの位置を角度方向に調整することを可能とするため、２つの偏心したねじが光学ボディに配置される。
【００１１】
光ピックアップは、ストレートな基準面上でスライドベースのばねの方向に移動可能なようにアクチュエータプレートを保持するので、移動機構とディスクモータとの間の誤差は、ディスクに向けられたビーム光の傾きを変えることなく、スライドベースに配置された例えば少なくとも１つの偏心したねじによって、イコライズすることができる。ディスクの回転の中心を通る中心線に垂直な方向の位置エラーは、対物レンズ駆動機構の位置を、該対物レンズ駆動機構用の支持プレートを形成する光学ボディ又はいわゆるスライドベースに相対的に調整することによって、吸収できる。
【００１２】
提案された光ピックアップは、単一部材のあまり厳しくない誤差を可能とする、なぜなら対物レンズを保持するアクチュエータプレートは、整列装置又は光記録又は再生装置内の光ピックアップのガイド孔に対して調整され、容易で良好な調整と、整列された補助ビームが得られ、最適な整列された光ピックアップが得られるからである。
【００１３】
好ましいことに、本発明の光ピックアップは、非常に少ない費用で済む。なぜなら光ピックアップは、ディスクから情報を読み出す及び／又はディスクへ情報を記録する光ピックアップを組み立てるのに、少数の単一部材のみを必要とするからである。さらに、本発明の光ピックアップは、最終調整の質を向上させる、なぜなら光学ボディ上でばねの方向にアクチュエータプレートを調整可能に保持する調整可能な光ピックアップの利用により、調整手順は数回確認され及び繰り返され、そして該調整手順は、ディスク型記録媒体から情報を読み出す及び／又は該記録媒体へ情報を記録する装置で最後に用いられた光ピックアップで実行されるからである。最後に、アクチュエータプレートは、位置調整された後に接着剤によって固定される。
【００１４】
本発明のこれらの目的及びその他の目的、特徴及び利点は、添付の図面と関連つけられながら、以下の本発明の実施形態の詳細な記述により、より明らかになるであろう。
【発明を実施するための最良の形態】
【００１５】
本発明は、移動機構とディスクモータとの間の誤差を補償するための光記録又は再生装置の光ピックアップを例として説明している。参照符号は、全ての図で対応した意味で用いられている。
【００１６】
光記録又は再生装置は、図１０の上面図で示されるターンテーブルＴＴ上に置かれたディスク型光記録媒体に情報を書き込む及び／又は該光記録媒体から情報を読み出すための光ピックアップＰＵを有する光ドライブを備える。ターンテーブルＴＴは、一般にディスク型の形状を有するよう形成され、そのほぼ中心に、一般に切頭円錐形を有する突起を設ける。図示されていないが、光ディスクは、ターンテーブルＴＴ上に置かれたとき、その中心にはめ込まれる。従って光ディスクは、ディスクモータの駆動シャフトの中心に保持され、ディスクモータの上に、光ディスクを回転させるターンテーブルＴＴが取り付けられる。ディスクモータの駆動シャフト及びディスクモータはそれぞれ、そのようにして、ディスクの回転の中心ＣＴＲＯＤを形成する。
【００１７】
光ピックアップＰＵは、シャーシつまりいわゆる光ドライブのベースプレートＢＰ上に配置されるガイドシャフトＧＳ及び支持シャフトＳＳによって移動可能に支持されるスライドベースＳＢを備える。ガイドシャフトＧＳ及び支持シャフトＳＳは、互いに平行に配置され、ターンテーブルＴＴの頂上部にもまた平行である。スライドベースＳＢは、図６に示されているように、ガイドシャフトＧＳが貫通するガイド孔ＧＨと、支持シャフトＳＳが挿入される支持凹部ＳＲとを有する。スライドベースＳＢは、ベースプレートＢＰ上に配置される図１２で示されるスレッドモータＳＭによって、ターンテーブルＴＴから離れる又はそれに向かう方向に、光ディスク（図示なし）に対し半径方向に、移動する。ガイドシャフトＧＳ及び支持シャフトＳＳに沿ってスレッドモータＳＭによって移動するスライドベースＳＢには、光ピックアップＰＵ及びその対物レンズＯＬが配置され、光ドライブのいわゆる移動機構を形成する。図１０において、ガイドシャフトＧＳ及び支持シャフトＳＳに平行な点線は、ガイドシャフトＧＳと、ディスクの回転の中心ＣＴＲＯＤ及び対物レンズＯＬの中心を通る中心線ＣＬとの間の距離ＤＳが、さまざまな誤差が原因で、異なるかもしれないということを示している。それら誤差とは、ディスク又はディスクモータＤＭの、移動機構のガイドシャフトＧＳに対する誤差、ガイドシャフト孔ＧＨと光ピックアップＰＵの中のアクチュエータの固定との間の誤差、及び、アクチュエータの固定とアクチュエータの中の対物レンズＯＬとの間の誤差である。ディスク又は対物レンズＯＬの回転の中心ＣＴＲＯＤの、中心線ＣＬからのそのような変化や偏差ＤＶは、図１０の中心線ＣＬの両側に、点線で示されている。
【００１８】
中心線ＣＬからの偏差ＤＶは、いわゆるＥＦ位相問題につながり、図９で示されているようないわゆる３ビーム走査システムにおけるトラックガイドに悪影響を与える。図９は、光ディスクのトラックＴＲ上のＥＦ位相のいわゆるＲ依存を示している。各トラックＴＲは３つの線で図示されており、それは、中心と、その両側でのトラックＴＲの境界線を表している。前記トラックＴＲは、環状の同心トラックＴＲでもよく、図示されていないディスクの回転の中心ＣＴＲＯＤに関連するうずまき状トラックＴＲによって形成されてもよい。図示されていない主ビームの両側のいわゆる補助ビームＥ及びＦは、光ピックアップＰＵによって提供される±１次オーダ光を表し、中心線ＣＬがディスクの回転の中心ＣＴＲＯＤを通っている場合の、回転の中心ＣＴＲＯＤまでの半径方向の距離Ｒ１、Ｒ２、Ｒ３には関係なく、トラックＴＲの境界線と交わる。補助ビームＥ及びＦは、該補助ビームＥとＦとの間にある図示されていない主ビームを、トラックＴＲ上に維持しておくために設けられ、図９では、わかりやすくするために線で結ばれている。しかしながら、補助ビームＥ及びＦは、回転の中心ＣＴＲＯＤと、それら補助ビームをトラックＴＲ上にフォーカスさせる対物レンズＯＬの中心との間の誤差が原因で、中心線ＣＬからの偏差が起きた場合、トラックＴＲの境界線を離れ、それは、偏差ＤＶの方向と、ディスクの回転の中心ＣＴＲＯＤへの半径方向の距離Ｒ１、Ｒ２、Ｒ３とに依存した位相変化につながる。これはつまり、主ビームの信頼性のあるトラックガイドには、ディスク又はディスクモータＤＭの回転の中心ＣＴＲＯＤと、トラックＴＲ上にビームをフォーカスさせる対物レンズＯＬの中心との間の整列が必要だということである。さらに、対物レンズＯＬの光軸と光ディスクの表面とは互いに垂直であることが保証されなければならず、それには、信頼性の高いディスク型光記録媒体からの情報の読み出し及び／又は該記録媒体上への情報の書き込みのための傾き調整が必要である。そのような傾きを調整するために、従来のピックアップ用に球面調整機構がすでに提供されており、これは、支持プレートの底面に形成され、スライドベースＳＢ又はいわゆる光学ボディに接する球面凸部と、スライドベースＳＢの支持プレートが接する頂部に形成され、且つ球面凸部がはまる球面凹部とを備える。球面凸部の湾曲の中心は、対物レンズＯＬの光軸上に位置する。ここで、湾曲の中心からスキューされた、対物レンズＯＬを通ったビーム光のフォーカススポットは、スキューされずにビーム光が対物レンズＯＬを通るときのフォーカススポットからほとんど外れない。これはつまり、従来の光ピックアップＰＵにおいては、光源を有するスライドベースＳＢに対して二軸アクチュエータの取り付け角度が調整されて、対物レンズをディスクに対してスキューしないようにするということである。従来の光ドライブにおいて、ピックアップＰＵを移動させる移動機構とディスクモータＤＭとの間の誤差は、図１１及び図１２に示されているように、ガイドシャフトＧＳに対する移動機構のディスクモータＤＭの位置を調整することによって補償される。従って、ディスクモータＤＭは、図１１及び図１２で示され���いるような、ガイドシャフトＧＳに垂直な、ベースプレートＢＰ内の細長い孔ＥＨで調整できる分離した金属板ＭＰ上に取り付けられる。しかし、それはつまり、ディスクの回転の中心ＣＴＲＯＤは、組立体の基準中心ＲＣに対してオフセットを伴った新たな中心線ＮＣＬに調整されるということであり、図１２で示されているように、完成したユニットの基準中心ＲＣの整列を誤るという欠点がある。これは、ディスクの信頼性のある装填とクランプに悪影響を与える。
【００１９】
従って、図１から図８で示されているような、光ピックアップＰＵ及びそのような光ピックアップＰＵを有する光記録又は再生装置が提案され、それは、調整手段ＡＭを備え、該調整手段は、光ピックアップＰＵのスライドベースＳＢに配置されているストレートな基準面ＲＳ上のアクチュエータプレートＡＰを、移動機構とディスクモータＤＭとの間の整列を達成するための光記録又は再生装置の整列装置によって定義される位置まで移動させることによって、対物レンズＯＬを保持する光ピックアップＰＵのアクチュエータプレートＡＰを調整する。これはつまり、ディスクモータＤＭは、分離した金属板ＭＰ上に調整可能なように取り付ける必要がなく、組立体の基準中心ＲＣに関して、予め決められた固定位置で、光ドライブのベースプレートＢＰ上に組み立てられるということである。
【００２０】
図１は、本発明による光ピックアップＰＵの構造を示した斜視図である。光ピックアップは、移動機構とディスクモータＤＭとの間の容易で良好な調整を達成し、トラックガイド用のディスク型光記録媒体を走査する補助ビームＥ、Ｆの整列をする。図１で示されている実施形態によると、調整手段ＡＭは、スライドベースＳＢのアクチュエータプレートＡＰを、スライドベースＳＢに取り付けられたカウンタばねＣＳに抗して移動させる少なくとも１つの偏心したねじＥＳである。アクチュエータプレートＡＰは、両側に、ストレートな基準面ＲＳ（図２）上をスライドするピンＰを有する。基準面ＲＳは、スライドベースＳＢに配置される。図２で示されているように、前記ピンＰの少なくとも１つは、前記偏心したねじＥＳと係合し、対物レンズＯＬを保持するレンズホルダを弾性的に支持するアクチュエータプレートＡＰをスライドする。ピンＰは、光ピックアップＰＵのスライドベースＳＢ内で、アクチュエータプレートＡＰを移動可能及び回転可能なように保持し、図８で示されているように、タンジェンシャルつまりいわゆる軸方向の傾きＴ調整のための転回点を形成する。アクチュエータプレートＡＰは、ＥＦ位相調整のために、ストレートな基準面ＲＳ上を、カウンタばねＣＳに抗してスライドし、従って、傾きねじＴＳを備える。傾きねじＴＳは、アクチュエータプレートＡＰがカウンタばねＣＳで保持される側とは反対側に配置され、スライドベースＳＢの凹部Ｒにスライド可能なように保持される。凹部Ｒは、スライドベースＳＢのボディのくぼみによって形成され、図６で示されており、アクチュエータプレートＡＰを、スライドベースＳＢのストレートな基準面ＲＳ上で移動可能なように保持する。アクチュエータプレートＡＰが有する一組の保持アームＨＡが、図７に示すようにカウンタばねＣＳと係合するという事実の結果、図８で示されるように、アクチュエータプレートＡＰにより、中心線ＣＬ及び軸方向の傾きＴに関してそれぞれ位置決めを行うことができる。アクチュエータプレートＡＰは、一組の保持アームＨＡによって保持され、スライドベースＳＢに対する相対位置を、偏心したねじＥＳ及び傾きねじＴＳによって高精度に位置決めを行うことができる。図６はさらに、一般的に知られているような、ガイド孔ＧＨ及びスライドベースＳＢの支持凹部ＳＲの構成を示しており、図３〜図５と関連して、本発明による光ピックアップＰＵの実施形態の構造と要素を示す分解斜視図を形成している。ディスクからの情報の読み出し及び／又はディスクへの情報の書き込みのための光ピックアップＰＵを組み立てるためには、光ピックアップＰＵは、図６のスライドベースＳＢに、２つのねじＳで取り付けられる、図３のカウンタばねＣＳ、図４のアクチュエータプレートＡＰ、及び図５の２つの偏心したねじＥＳのような少数の単一部材のみが、必要である。
【００２１】
提案された構成によって、単一部材のあまり厳しくない誤差が可能になる。なぜなら対物レンズＯＬを保持するアクチュエータプレートＡＰは、特定の整列装置内、又は光記録又は再生装置内で、光ピックアップＰＵのガイド孔ＧＨに対し調整可能であるからである。ここで、整列装置は、光記録又は再生装置内に挿入された光ディスクにビーム光を照射し、そのディスクからの戻り光を受光する光ピックアップＰＵと、回転する光ディスクに対し半径方向に光ピックアップＰＵを移動させる手段とによって形成される。光ピックアップＰＵは、ディスクの最内周側から最外周側への移動の場合にディスクから受光する±１次オーダ光における位相差に変化がおこるかどうか、及び、スライドベースＳＢのストレートな基準面ＲＳ上でアクチュエータプレートＡＰを移動させる調整手段ＡＭの調整が、±１次オーダ光間の位相差が、例えば１８０°の予め決められた値になるように実行されるかどうかを確認する。つまり、光ピックアップＰＵは、構成要素として、光記録又は再生装置によって、又は最終的な光記録又は再生装置を用いることによって形成される整列装置と類似の特定整列装置で事前に調整されるということである。最後に、アクチュエータプレートＡＰは、位置を調整した後に例えば紫外線硬化型接着剤のような接着剤によって固定される。
【００２２】
半径方向の傾き調整は、光ドライブのガイドシャフトＧＳの調整によって、既知の方法で行われ、送り機構及びディスク回転駆動機構が、それぞれ、基準として働く調整用光ディスクに対して理想的な位置に高精度にベースユニットに関して組み立てられる。
【００２３】
提案された光ピックアップＰＵは、多くの異なる方法で用いられ形成されることができ、その結果、本発明の応用及び実施の範囲は、ここで記述される例示的実施形態に制限されない。
【図面の簡単な説明】
【００２４】
【図１】本発明による光ピックアップの構成を示す斜視図である。
【図２】アクチュエータプレートのピンと係合する偏心したねじを示す拡大図である。
【図３】アクチュエータプレートを保持するばねを示す斜視図である。
【図４】対物レンズを支持する手段がないアクチュエータプレートを示す斜視図である。
【図５】２つの偏心したねじを示す斜視図である。
【図６】スライドベースを示す斜視図であり、図３から図６と関連して、光ピックアップの構成を示す分解斜視図である。
【図７】偏心したねじと係合するピンを備えたアクチュエータプレートを示す斜視図である。
【図８】ＥＦ位相及びタンジェンシャルの傾き調整の動きの方向を示す側面図である。
【図９】光ディスクのトラック上のＥＦ位相のいわゆるＲ依存を示す図である。
【図１０】光ドライブの構造を示す上面図である。
【図１１】従来の光ドライブにおける分離した金属板上に取り付けられたディスクモータを示した斜視図である。
【図１２】従来の光ドライブのベースプレートを示す斜視図である。
【符号の説明】
【００２５】
Ｅ、Ｆ  補助ビーム
Ｐ  ピン
Ｒ  凹部
Ｓ  ねじ
Ｔ  軸方向の傾き
ＡＭ  調整手段
ＡＰ  アクチュエータプレート
ＣＬ  中心線
ＣＳ  カウンタばね
ＤＭ  ディスクモータ
ＤＳ  距離
ＤＶ  偏差
ＥＨ  細長い孔
ＥＳ  偏心したねじ
ＧＨ  ガイド孔
ＧＳ  ガイドシャフト
ＨＡ  保持アーム
ＭＰ  金属板
ＯＬ  対物レンズ
ＰＵ  光ピックアップ
ＲＣ  基準中心
ＲＳ  基準面
ＳＢ  スライドベース
ＳＭ  スレッドモータ
ＳＲ  支持凹部
ＳＳ  支持シャフト
ＴＲ  トラック
ＴＳ  傾きねじ
ＴＴ  ターンテーブル
【図１】
2008016174.tif 000003
【図２】
2008016174.tif 000004
【図３】
2008016174.tif 000005
【図４】
2008016174.tif 000006
【図５】
2008016174.tif 000007
【図６】
2008016174.tif 000008
【図７】
2008016174.tif 000009
【図８】
2008016174.tif 000010
【図９】
2008016174.tif 000011
【図１０】
2008016174.tif 000012
【図１１】
2008016174.tif 000013
【図１２】
2008016174.tif 000014
【外国語明細書】
2008016174.tif 000015
2008016174.tif 000016
2008016174.tif 000017
2008016174.tif 000018
2008016174.tif 000019
2008016174.tif 000020
2008016174.tif 000021
2008016174.tif 000022
2008016174.tif 000023
2008016174.tif 000024
2008016174.tif 000025
2008016174.tif 000026
2008016174.tif 000027
2008016174.tif 000028
2008016174.tif 000029
2008016174.tif 000030
2008016174.tif 000031
2008016174.tif 000032
2008016174.tif 000033
2008016174.tif 000034
2008016174.tif 000035
2008016174.tif 000036
2008016174.tif 000037
2008016174.tif 000038
2008016174.tif 000039
2008016174.tif 000040
2008016174.tif 000041
2008016174.tif 000042